(57)【要約】【課題】予め登録された一対の無線通信機器を安全に無線接続登録する無線接続登録システムを得る。【解決手段】無線接続登録システムは、無線により情報を送受信する一対の無線通信機器間で無線接続登録を行う無線接続登録システムにおいて、一対の無線通信機器を無線接続登録を行うときに一方の無線通信機器が接続されるイントラネットと、一対の無線通信機器を接続するローカルネットワークと、イントラネットに接続されるとともに一対の無線通信機器間で無線接続登録するために必要な情報をイントラネットに接続されている無線通信機器に送信する無線接続管理サーバとを備え、イントラネットに接続される無線接続機器がローカルネットワークを介して他方の無線通信機器に無線接続登録するための情報を送信する。【選択図】図１
2010219938.tif 000002
【特許請求の範囲】
【請求項１】
無線により情報を送受信する一対の無線通信機器間で無線接続登録を行う無線接続登録システムにおいて、
上記一対の無線通信機器を無線接続登録するときに、上記一方の無線通信機器が接続されるイントラネットと、
上記一対の無線通信機器を接続するローカルネットワークと、
上記イントラネットに接続されるとともに上記一対の無線通信機器間で無線接続登録するために必要な情報を上記イントラネットに接続されている上記無線通信機器に送信する無線接続管理サーバとを備え、
上記イントラネットに接続される無線接続機器が上記ローカルネットワークを介して上記他方の無線通信機器に無線接続登録するための情報を送信することを特徴とする無線接続登録システム。
【請求項２】
上記無線接続登録のための情報は、上記無線通信機器間でＢｌｕｅｔｏｏｔｈ規格のペアリングに必要なＰＩＮコードを含むことを特徴とする請求項１に記載の無線接続登録システム。
【請求項３】
上記無線接続登録のための情報は、上記一対の無線通信機器のアドレスを含むことを特徴とする請求項１または２に記載の無線接続登録システム。
【発明の詳細な説明】
【技術分野】
【０００１】
本発明は、無線で接続する端末間で無線接続を登録する無線接続登録システムに関する。
【背景技術】
【０００２】
従来の無線通信機器システムは、無線により情報を送受信する一対の無線通信機器から構成される無線通信機器システムであって、前記各無線通信機器は、無線通信を行う無線通信手段と、互いの該無線通信機器が接触電気的に導通したことを検知する導通検知手段と、前記導通検知手段が導通したことを検知すると、一対の無線通信機器が無線通信を行うための相互認証に必要な認証情報を前記無線通信手段により交換して、相互認証処理を行う認証手段と、を備える（例えば、特許文献１参照）。
【先行技術文献】
【特許文献】
【０００３】
【特許文献１】特開２００７−３０６３６９号公報
【発明の概要】
【発明が解決しようとする課題】
【０００４】
しかしながら、従来技術には、以下のような課題がある。
相互認証に必要な認証情報を無線通信手段により交換して無線通信機器に記憶し、双方の無線通信機器に記憶された認証情報を用いて無線接続を登録するので、認証情報を無線通信手段により交換するときに不正に盗まれて、その認証情報を用いて無線接続が登録されてなりすまされるという問題がある。
【０００５】
本発明は、前記のような課題を解決するためになされたものであり、予め登録された一対の無線通信機器を安全に無線接続登録する無線接続登録システムを得ることを目的とする。
【課題を解決するための手段】
【０００６】
本発明に係る無線接続登録システムは、無線により情報を送受信する一対の無線通信機器間で無線接続登録を行う無線接続登録システムにおいて、上記一対の無線通信機器を無線接続登録を行うときに上記一方の無線通信機器が接続されるイントラネットと、上記一対の無線通信機器を接続するローカルネットワークと、上記イントラネットに接続されるとともに上記一対の無線通信機器間で無線接続登録するために必要な情報を上記イントラネットに接続されている上記無線通信機器に送信する無線接続管理サーバとを備え、上記イントラネットに接続される無線接続機器が上記ローカルネットワークを介して上記他方の無線通信機器に無線接続登録するための情報を送信する。
【発明の効果】
【０００７】
本発明に係る無線接続登録システムによれば、特定の相手と特定の場所で安全性の高い特定の認証情報を使用して無線接続を登録するので、無線接続登録時の安全性を高めながら不特定多数の相手との接続を防止することができる。
【図面の簡単な説明】
【０００８】
【図１】この発明に係る無線接続登録システムの構成を示す構成図である。
【図２】この発明に係る無線接続情報管理データベースに格納される無線接続情報管理テーブルのデータ構造を示す図である。
【図３】この発明に係る無線接続登録システムにおいてＰＩＮコードを配布する手順を示すフローチャートである。
【図４】この発明に係る無線接続登録システムにおいてペアリングの手順を示すフローチャートである。
【図５】この発明に係る無線接続登録システムにおいて無線接続登録の手順を示すフローチャートである。
【発明を実施するための形態】
【０００９】
図１は、この発明に係る無線接続登録システムの構成を示す構成図である。図２は、この発明に係る無線接続情報管理データベースに格納される無線接続情報管理テーブルのデータ構造を示す図である。
以下、本発明の無線接続登録システムの好適な実施の形態につき図面を用いて説明する。
この発明に係る無線接続登録システム１は、図１に示すように、イントラネット２にリモートアクセスではなく接続することができるＰｅｒｓｏｎａｌ  Ｃｏｍｐｕｔｅｒ（ＰＣ）、Ｐｅｒｓｏｎａｌ  Ｄｉｇｉｔａｌ  Ａｓｓｉｓｔａｎｔ（ＰＤＡ）、携帯電話、カーナビゲーション装置などの無線通信機器である端末Ａ３と、端末Ａ３とシリアルケーブルなどのローカルネットワーク４を介して接続することができるマウス、キーボード、プリンタ、モデム、バーコードリーダ、ＧＰＳ（Ｇｌｏｂａｌ  Ｐｏｓｉｔｉｏｎｉｎｇ  Ｓｙｓｔｅｍ）受信機、スピーカー、ヘッドフォンなどの無線通信機器である端末Ｂ５との間の無線接続登録を管理するシステムである。
そして、この発明に係る無線接続登録システム１は、イントラネット２に接続されている無線接続管理サーバ６、イントラネット２に接続されている端末Ａ３、端末Ａ３とローカルネットワーク４を介して接続されている端末Ｂ５を備える。
【００１０】
無線接続管理サーバ６は、無線接続管理サーバ６をイントラネット２に接続するイントラネット接続手段１１、端末Ａ３がイントラネット２に接続していることを確認するイントラネット接続確認手段１２、端末Ａ３がイントラネット２に接続されていることが確認されたとき端末Ａ３の無線接続登録情報を端末Ａ３に通知する無線接続登録起動手段１３、無線接続登録を行う対象の端末Ａ３と端末Ｂ５の情報が記憶される無線接続情報管理テーブルおよびＰＩＮコードルールが格納される無線接続情報管理記憶手段１４を有する。
無線接続情報管理テーブルは、図２に示すように、無線接続登録する対象の端末Ａ３の無線アドレスおよびイントラネットアドレス、端末Ｂ５の無線アドレスおよびローカルネットワークアドレス、および端末Ａ３と端末Ｂ５とが無線接続登録されているか否かを示す端末登録済フラグを記憶する欄を用意してある。
ＰＩＮコードルールは、ＰＩＮコードの桁数、例えば１０桁以上、と使用ＡＳＣＩＩコードの範囲、例えば数字、英字、記号を含むコードである。
【００１１】
端末Ａ３は、イントラネット接続手段２１、無線接続登録手段２２、端末登録起動手段２３、端末Ａ３をローカルネットワーク４に接続するローカルネットワーク接続手段２４、Ｂｌｕｅｔｏｏｔｈ通信手段２５を有する。
イントラネット接続手段２１は、端末Ａ３がイントラネット２に接続されているときには無線接続管理サーバ６からのイントラネット接続確認の要求に対して端末Ａ３がイントラネット２に接続していることを確認して応答する。
無線接続登録手段２２は、無線接続管理サーバ６から送られる無線接続登録情報を受信するとともに端末Ａ３と端末Ｂ５とが無線接続登録が完了したとき無線接続登録の完了を無線接続管理サーバ６に通知する。
端末登録起動手段２３は、端末Ｂ５がローカルネットワーク４に接続しているときローカルネットワーク接続手段２４を経由して端末Ｂ５に端末Ｂ５の端末登録情報を送信するとともに、端末Ｂ５からの端末登録手段起動完了および端末登録完了の通知を受信する。
Ｂｌｕｅｔｏｏｔｈ通信手段２５は、端末Ａ３と端末Ｂ５との間をＢｌｕｅｔｏｏｔｈ接続にして情報を送受信する。
【００１２】
端末Ｂ５は、端末登録手段３１、ローカルネットワーク接続手段３２、Ｂｌｕｅｔｏｏｔｈ通信手段３３を有する。
端末登録手段３１は、端末Ａ３からの端末登録情報を受信するとともに、端末Ａ３に端末登録手段３１の起動を完了したことおよび端末登録を完了したことを通知する。
Ｂｌｕｅｔｏｏｔｈ通信手段３３は、端末Ｂ５と端末Ａ３との間をＢｌｕｅｔｏｏｔｈ接続にして情報を送受信する。
【００１３】
端末Ａ３と端末Ｂ５との間ではＢｌｕｅｔｏｏｔｈ規格に従って無線接続を確立する。なお、Ｂｌｕｅｔｏｏｔｈ通信手段２５およびＢｌｕｅｔｏｏｔｈ通信手段３３は、無線接続登録を行うときには電波出力を低下させて無線通信を行う。
そして、端末Ａ３と端末Ｂ５とではセキュリティーレベルが「高」に設定してある。セキュリティーレベル「高」では、端末Ａ３と端末Ｂ５の双方でＰＩＮコードの入力が必要である。この発明では、端末Ａ３と端末Ｂ５との間を無線接続登録するときにＰＩＮコードが無線接続管理サーバ６からまず端末Ａ３にイントラネット２を介して提供され、次に、端末Ａ３から端末Ｂ５にローカルネットワーク４を介して提供される。
【００１４】
次に、この発明に係る無線接続登録システム１を用いて端末Ａ３と端末Ｂ５との無線接続登録の手順を図３から図５のフローチャートを参照しながら説明する。
Ｓ１０１で、無線接続管理サーバ６はイントラネット２を経由して端末Ａ３に端末Ａ３がイントラネット２に接続されているときはイントラネット接続確認の応答するようイントラネット接続確認を要求する信号を送信する。
Ｓ２０１で、端末Ａ３は端末Ａ３がイントラネット２に接続されているので、無線接続管理サーバ６からのイントラネット接続確認を要求する信号を受信したらイントラネット接続確認を応答する。
Ｓ１０２で、無線接続管理サーバ６は端末Ａ３からのイントラネット接続確認の応答を受信する。
Ｓ１０３で、無線接続管理サーバ６は無線接続情報管理テーブルから端末Ａ３と端末Ｂ５のアドレスを取り出す。
Ｓ１０４で、無線接続管理サーバ６はＰＩＮコードを生成する。
Ｓ１０５で、無線接続管理サーバ６は生成したＰＩＮコードがＰＩＮコードルールに合致しているか否かを判断し、合致しているときＳ１０６に進み、合致していないときＳ１０４に戻る。
Ｓ１０６で、無線接続管理サーバ６は端末Ａ３にイントラネット２を経由して、端末Ａ３と端末Ｂ５とを無線接続登録するための無線接続登録情報（端末Ａのアドレス、端末Ｂのアドレス、ＰＩＮコード）を、通知する。
【００１５】
Ｓ２０２で、端末Ａ３は無線接続管理サーバ６から通知された無線接続登録情報（端末Ａのアドレス、端末Ｂのアドレス、ＰＩＮコード）を受信するとともに記憶する。
Ｓ２０３で、端末Ａ３は端末Ｂ５にローカルネットワーク４を経由して端末Ｂ５の端末登録情報（端末Ａのアドレス、ＰＩＮコード）を送信する。
Ｓ３０１で、端末Ｂ５はローカルネットワーク４を経由して端末Ａ３から送信された端末Ｂ５の端末登録情報（端末Ａのアドレス、ＰＩＮコード）を受信するとともに記憶する。
Ｓ３０２で、端末Ｂ５は無線の状態を「発見可能および接続可能」の状態に設定する。
Ｓ３０３で、端末Ｂ５はローカルネットワーク４を経由して端末Ａ３に「端末登録手段起動完了」を通知する。
Ｓ２０４で、端末Ａ３はローカルネットワーク４を経由して端末Ｂ５から通知された「端末登録手段起動完了」を受信する。
Ｓ２０５で、端末Ａ３は端末Ｂ５の端末登録手段３１の起動を完了したので、無線の状態を「発見不可および接続可能」の状態に設定する。
【００１６】
Ｓ２０６で、端末Ａ３は端末Ｂ５を無線で探索する。
Ｓ３０４で、端末Ｂ５は端末Ａ３の無線探索に応答する。
Ｓ２０７で、端末Ａ３は端末Ｂ５を無線で呼び出す。
Ｓ３０５で、端末Ｂ５は無線の呼び出しを受信する。
Ｓ３０６で、端末Ｂ５は受信した無線呼び出しが端末Ａ３からの無線呼び出しか否かを判断し、端末Ａ３からの無線呼び出しのときＳ３０７に進み、端末Ａ３からの無線呼び出しでないときＳ３０５に戻る。
Ｓ３０７で、端末Ｂ５は端末Ａ３の呼び出しに応答する。
【００１７】
Ｓ２０８で、端末Ａ３は端末Ｂ５に無線でペアリングを要求するとともにペアリングモードに移行する。
Ｓ２０９で、端末Ａ３は端末Ｂ５とのペアリングに使用するＰＩＮコードを取得する。
Ｓ２１０で、端末Ａ３は取得したＰＩＮコードから初期化キーを生成する。
Ｓ２１１で、端末Ａ３は初期化キーからリンクキーを生成する。
Ｓ２１２で、端末Ａ３は生成したリンクキーを記憶してペアリングを終了する。
【００１８】
Ｓ３０８で、端末Ｂ５は端末Ａ３からのペアリング要求に応答してペアリングモードに移行する。
Ｓ３０９で、端末Ｂ５は端末Ａ３とのペアリングに使用するＰＩＮコードを取得する。
Ｓ３１０で、端末Ｂ５は取得したＰＩＮコードから初期化キーを生成する。
Ｓ３１１で、端末Ｂ５は初期化キーからリンクキーを生成する。
Ｓ３１２で、端末Ｂ５は生成したリンクキーを記憶してペアリングを終了する。
【００１９】
Ｓ２１３で、端末Ａ３はリンクキーを用いて端末Ｂ５を認証する。
Ｓ３１３で、端末Ｂ５はリンクキーを用いて端末Ａ３を認証する。
Ｓ２１４で、端末Ａ３は端末Ｂ５との通信プロファイルを登録する。
Ｓ２１５で、端末Ａ３は無線の状態を「発見不可および接続不可」の状態に設定する。
Ｓ３１４で、端末Ｂ５は端末Ａ３との通信プロファイルを登録する。
Ｓ３１５で、端末Ｂ５は無線の状態を「発見不可および接続可能」の状態に設定する。
Ｓ３１６で、端末Ｂ５はローカルネットワーク４を経由して端末Ａ３に「端末登録完了」を通知する。
Ｓ２１６で、端末Ａ３はローカルネットワーク４を経由して端末Ｂ５から通知された「端末登録完了」を受信する。
Ｓ２１７で、端末Ａ３はイントラネット２を経由して無線接続管理サーバ６に「無線接続登録完了」を通知する。
【００２０】
Ｓ１０７で、無線接続管理サーバ６は端末Ａ３からの「無線接続登録完了」を受信する。
Ｓ１０８で、無線接続管理サーバ６は無線接続情報管理テーブルの端末登録済フラグに「１」を設定する。
【００２１】
無線接続管理サーバ６が、端末Ａ３のイントラネット接続を確認して、端末Ａ３と端末Ｂ５の無線接続登録を実行させるので、ペアリングが特定の場所で行われる。
無線接続管理サーバ６が、無線接続登録する端末Ａ３と端末Ｂ５のアドレスそれぞれ端末Ａ３と端末Ｂ５とに与えて無線接続登録を実行させるので、ペアリングが特定の相手と行われるようにする。
無線接続管理サーバ６が無線接続登録する端末Ａ３と端末Ｂ５間で認証に使用するＰＩＮコードを与えて無線接続登録を実行させるので、ペアリング時に所定のルールに従ったＰＩＮコードを使用することができる。
イントラネット接続時に端末Ａ３の認証を行い、認証済みの端末に対してのみ無線接続情報を払い出すので、許可された端末のみが無線接続登録できる。
イントラネット２への接続がリモートアクセスでない場合に無線接続情報を払い出すので、社外での無線接続登録を防止することができる。
無線接続時に電波出力を低下させるので、屋外からの盗聴を防止する。
【００２２】
なお、無線接続管理サーバ６に搭載されている「無線接続登録起動手段１３」、「無線接続情報管理記憶手段１４」を端末Ａ３に搭載しても良い。この場合、端末Ａ３の「無線接続登録起動手段１３」が、端末Ａ３がイントラネット２に接続していることを確認できた場合に限って、端末Ａ３の「無線接続登録手段２２」を起動する。
【符号の説明】
【００２３】
１  無線接続登録システム、２  イントラネット、３  端末Ａ、４  ローカルネットワーク、５  端末Ｂ、６  無線接続管理サーバ、１１  イントラネット接続手段、１２  イントラネット接続確認手段、１３  無線接続登録起動手段、１４  無線接続情報管理記憶手段、２１  イントラネット接続手段、２２  無線接続登録手段、２３  端末登録起動手段、２４  ローカルネットワーク接続手段、２５  Ｂｌｕｅｔｏｏｔｈ通信手段、３１  端末登録手段、３２  ローカルネットワーク接続手段、３３  Ｂｌｕｅｔｏｏｔｈ通信手段。
【図１】
2010219938.tif 000003
【図２】
2010219938.tif 000004
【図３】
2010219938.tif 000005
【図４】
2010219938.tif 000006
【図５】
2010219938.tif 000007